(57)【要約】      （修正有）【課題】メガネの曇り防止マスクを提供する。【解決手段】外面と内面を備えるマスク本体を含むメガネの曇り防止マスクであって、曇り防止マスクは、スポンジ製ノーズパッド２をさらに含み、スポンジ製ノーズパッドは、マスク本体１の内面上部に固定され、スポンジ製ノーズパッドのマスク本体から離れた面は、鼻梁にフィットするよう凹凸状を呈する。スポンジ製ノーズパッドは、顔の鼻梁にぴったりとフィットするため、マスク本体と鼻梁の間に隙間が生じることを抑制する。またスポンジは比較的柔軟であるため、マスクの装着快適性を向上できる。【選択図】図１
0003226963.tif 000002
【実用新案登録請求の範囲】
【請求項１】
外面と内面を備えるマスク本体を含むメガネの曇り防止マスクであって、スポンジ製ノーズパッドをさらに含み；
前記スポンジ製ノーズパッドは、前記マスク本体の内面上部に固定され；
前記スポンジ製ノーズパッドの前記マスク本体から離れた面は、鼻梁にフィットするよう凹凸状を呈する、
ことを特徴とする、メガネの曇り防止マスク。
【請求項２】
前記スポンジ製ノーズパッドの前記マスク本体から離れた面に固定されたシリコーン層も含む、ことを特徴とする請求項１に記載メガネの曇り防止マスク。
【請求項３】
前記スポンジ製ノーズパッドの前記マスク本体から離れた面に１つの谷および２つの山が設けられ、前記谷は、前記スポンジ製ノーズパッドの中央に位置し、２つの前記山が前記谷の両側に対称的に配置されている、ことを特徴とする請求項１に記載メガネの曇り防止マスク。
【請求項４】
前記スポンジ製ノーズパッドの高さは６ｍｍ〜１６ｍｍの範囲である、ことを特徴とする請求項３に記載メガネの曇り防止マスク。
【請求項５】
前記スポンジ製ノーズパッドの前記谷の厚さは１ｍｍ〜１０ｍｍの範囲であり、前記スポンジ製ノーズパッドの前記山の厚さは５ｍｍ〜１５ｍｍの範囲である、ことを特徴とする請求項３に記載メガネの曇り防止マスク。
【請求項６】
前記スポンジ製ノーズパッドの前記谷の厚さは３ｍｍであり、前記スポンジ製ノーズパッドの前記山の厚さは１０ｍｍである、ことを特徴とする請求項５に記載メガネの曇り防止マスク。
【請求項７】
前記スポンジ製ノーズパッドの両端の厚さは１ｍｍ〜５ｍｍの範囲である、ことを特徴とする請求項３に記載メガネの曇り防止マスク。
【請求項８】
前記スポンジ製ノーズパッドの両端の厚さは３ｍｍである、ことを特徴とする請求項７に記載メガネの曇り防止マスク。
【請求項９】
前記スポンジ製ノーズパッドは、非通気性のスポンジ製ノーズパッドである、ことを特徴とする請求項１に記載メガネの曇り防止マスク。
【考案の詳細な説明】
【技術分野】
【０００１】
本考案は、衛生用品分野に関し、特に、メガネの曇り防止マスクに関する。
【背景技術】
【０００２】
マスクは、衛生用品であり、一般的にガーゼまたは紙などで製造され、口と鼻に装着し、口と鼻に入る空気をろ過して有害な気体、臭気、飛沫が装着者の口と鼻に出入りするのを防ぐ用品をいう。
【０００３】
従来のマスクは、ろ過効果を実現するため、マスク本体の呼吸抵抗力が往々にして大きくなり、マスクの頂部内に曲げて変形させることのできるノーズフィットを組み込み、鼻の形に合わせることで、マスクと鼻梁のフィット性を保証しているが、マスクと鼻梁のフィット部位にやはり隙間があり、同時にマスクと眼鏡を装着する者にとって、マスクと鼻梁の隙間から立ち上った温かい呼気が眼鏡レンズに当たって結露し、レンズが白く曇り人々の視界に影響を与えていた。
【考案の概要】
【考案が解決しようとする課題】
【０００４】
本考案は、マスクの上縁部と鼻梁のフィット部位に隙間が存在し、呼気が容易に隙間から立ち上って眼鏡レンズに当たって結露し、レンズが白く曇るという課題を解決する。
【課題を解決するための手段】
【０００５】
上述の課題に対応するため、本考案は、以下の技術的手段を講じている。
外面と内面を備えるマスク本体を含むメガネの曇り防止マスクであって、スポンジ製ノーズパッドをさらに含み；
前記スポンジ製ノーズパッドは、マスク本体の内面上部に固定され；
前記スポンジ製ノーズパッドのマスク本体から離れた面は、鼻梁にフィットするよう凹凸状を呈する。
【考案の効果】
【０００６】
本考案のスポンジ製ノーズパッドの外形は、顔の鼻梁にぴったりとフィットできるため、人がマスクを装着した後マスク本体と人の鼻梁の間に隙間が生じることを抑制することができ；スポンジ製ノーズパッドは、圧縮することができ、マスクを装着した後スポンジ製ノーズパッドがマスク本体と人の顔の圧迫を受けることで変形し、様々な人の顔に適応して完全にフィットする効果を実現し；スポンジは比較的柔軟であるため、マスクの装着快適性を向上できる。
【図面の簡単な説明】
【０００７】
【図１】本考案の具体的な実施形態に係るメガネの曇り防止マスクの正面図である。
【図２】本考案の具体的な実施形態に係るメガネの曇り防止マスクの背面図である。
【図３】本考案の具体的な実施形態に係るスポンジ製ノーズパッドの構造を示す図である。
【考案を実施するための形態】
【０００８】
以下、実施形態および添付図面を参照して、本考案の技術的内容、達成される目的および効果を詳細に説明する。
【０００９】
本考案の最も重要な技術的思想は、マスクに設けられたスポンジ製ノーズパッドを介して人がマスクを装着した後、マスク本体と人の鼻梁の間に隙間が生じることを抑制することで、人の呼気が隙間から立ち上って眼鏡レンズに当たって結露し、レンズが白く曇るのを防ぐことである。
【００１０】
図１乃至図３を参照すると、本考案のメガネの曇り防止マスクは、外面と内面を備えるマスク本体１と、スポンジ製ノーズパッド２と、を含み；
前記スポンジ製ノーズパッド２は、マスク本体１の内面上部に固定され；
スポンジ製ノーズパッド２のマスク本体１から離れた面は、鼻梁にフィットする凹凸状を呈する。
【００１１】
本考案の動作原理：人がマスクを装着した時、スポンジ製ノーズパッド２は、人の顔の鼻梁の形状に合わせてフィットできる。したがって、呼気がマスクの上縁部から立ち上げって眼鏡レンズに当たって結露し、レンズが白く曇ることを防ぐことができる。
【００１２】
上記の内容からも分かる通り、本考案の有益な効果は、スポンジ製ノーズパッドの外形は、顔の鼻梁にぴったりとフィットできるため、人がマスクを装着した後マスク本体と人の鼻梁の間に隙間が生じることを抑制することができ；スポンジ製ノーズパッドは、圧縮することができ、マスクを装着した後スポンジ製ノーズパッドがマスク本体と人の顔の圧迫を受けることで変形し、様々な人の顔に適応して完全にフィットする効果を実現し；スポンジは比較的柔軟であるため、マスクの装着快適性を向上できることである。
【００１３】
さらに、スポンジ製ノーズパッド２のマスク本体１から離れた面に固定されたシリコーン層３も含む。
【００１４】
上記の内容からも分かる通り、スポンジ製ノーズパッドのマスク本体から離れた面に設けられたシリコーン層は、マスク装着時の快適性をさらに向上させることができ、同時にシリコーン層と人間の皮膚の間の直接的な摩擦が大きいため、マスク装着後も滑り落ちにくくなる。
【００１５】
さらに、前記スポンジ製ノーズパッド２のマスク本体から離れた面に１つの谷２１および２つの山２２が設けられ、前記谷２１は、スポンジ製ノーズパッド２の中央に位置し、２つの前記山２２は谷２１の両側に対称的に配置されている。
【００１６】
上記の内容からも分かる通り、スポンジ製ノーズパッドの谷は、人間の顔の鼻梁にフィットし、２つの山は人間の顔部の鼻梁の両側の窪みにぴったりとはまり、マスク装着時の快適性を向上させる。
【００１７】
さらに、前記スポンジ製ノーズパッド２の高さは６ｍｍ〜１６ｍｍの範囲である。
【００１８】
さらに、前記スポンジ製ノーズパッド２の谷２１の厚さは１ｍｍ〜１０ｍｍの範囲で、前記スポンジ製ノーズパッド２の山２２の厚さは５ｍｍ〜１５ｍｍの範囲である。
【００１９】
上記の内容からも分かる通り、谷および山の厚さが薄ければ薄いほど原料コストを削減することができ、厚さが厚いほど、装着後スポンジ製ノーズパッドが圧迫されて変形しやすくなり、スポンジ製ノーズパッドの通気性をさらに低下させ、マスクの防護性能を向上させ、同時に呼気が隙間から立ち上がるのを防ぐ。
【００２０】
さらに、前記スポンジ製ノーズパッド２の谷２１の厚さは３ｍｍであり、前記スポンジ製ノーズパッド２の山２２の厚さは１０ｍｍである。
【００２１】
上記の内容からも分かる通り、実験や検証を繰り返した後、スポンジ製ノーズパッドの谷の厚さを３ｍｍに設定すると、呼気が隙間から立ち上がるのを防ぐことができ、同時にコストを最大限に節約でき、山の厚さは人間の顔の鼻梁の高さで決まり、山の厚さを１０ｍｍとすることで、スポンジ製ノーズパッドをほとんどの大人の顔にフィットさせることができる。
【００２２】
さらに、前記スポンジ製ノーズパッド２の両端の厚さは１ｍｍ〜５ｍｍの範囲である。
【００２３】
さらに、前記スポンジ製ノーズパッド２の両端の厚さは３ｍｍである。
【００２４】
さらに、前記スポンジ製ノーズパッド２は、非通気性のスポンジ製ノーズパッド２である。
【００２５】
＜実施例１＞
外面と内面を備えるマスク本体１を含む大人用メガネの曇り防止マスクであって、スポンジ製ノーズパッド２をさらに含み、前記スポンジ製ノーズパッド２は、非通気性のスポンジ製ノーズパッド２であり、マスク本体１の内面上部に固定され；
スポンジ製ノーズパッド２のマスク本体１から離れた面は、鼻梁にフィットする凹凸状を呈し、スポンジ製ノーズパッド２のマスク本体から離れた面に１つの谷２１および２つの山２２が設けられ、前記谷２１はスポンジ製ノーズパッド２の中央に位置し、２つの前記山２２は谷２１の両側に対称的に配置され；
前記スポンジ製ノーズパッドの高さは１０ｍｍであり、前記スポンジ製ノーズパッド２の谷２１の厚さは３ｍｍであり、前記スポンジ製ノーズパッド２の山２２の厚さは１０ｍｍであり、前記スポンジ製ノーズパッド２の両端の厚さは３ｍｍである。
【００２６】
＜実施例２＞
外面と内面を備えるマスク本体１を含む、滑り落ちないメガネの曇り防止マスクであって、スポンジ製ノーズパッド２をさらに含み、前記スポンジ製ノーズパッド２は、非通気性のスポンジ製ノーズパッド２であり、マスク本体１の内面上部に固定され；
スポンジ製ノーズパッド２のマスク本体１から離れた面は、鼻梁にフィットする凹凸状を呈し、スポンジ製ノーズパッド２のマスク本体から離れた面に１つの谷２１および２つの山２２が設けられ、前記谷２１はスポンジ製ノーズパッド２の中央に位置し、２つの前記山２２は谷２１の両側に対称的に配置され；
前記スポンジ製ノーズパッドの高さは１０ｍｍであり、前記スポンジ製ノーズパッド２の谷２１の厚さは３ｍｍであり、前記スポンジ製ノーズパッド２の山２２の厚さは１０ｍｍであり、前記スポンジ製ノーズパッド２の両端の厚さは３ｍｍであり；
スポンジ製ノーズパッド２のマスク本体１から離れた面に固定されたシリコーン層３も含む。
【００２７】
スポンジ製ノーズパッドにシリコーン層を設けることによって、マスク装着時の快適性を向上させ、かつシリコーン層と人の肌との摩擦力は大きいため、シリコーン層が追加で取り付けられた後、マスクが滑り落ちにくくなる。
【００２８】
＜実施例３＞
外面と内面を備えるマスク本体１を含む子供用メガネの曇り防止マスクであって、スポンジ製ノーズパッド２をさらに含み、前記スポンジ製ノーズパッド２は、非通気性のスポンジ製ノーズパッド２であり、マスク本体１の内面上部に固定され；
スポンジ製ノーズパッド２のマスク本体１から離れた面は、鼻梁にフィットする凹凸状を呈し、スポンジ製ノーズパッド２のマスク本体から離れた面に１つの谷２１および２つの山２２が設けられ、前記谷２１はスポンジ製ノーズパッド２の中央に位置し、２つの前記山２２は谷２１の両側に対称的に配置され；
前記スポンジ製ノーズパッドの高さは６ｍｍであり、前記スポンジ製ノーズパッド２の谷２１の厚さは１ｍｍであり、前記スポンジ製ノーズパッド２の山２２の厚さは５ｍｍであり、前記スポンジ製ノーズパッド２の両端の厚さは３ｍｍである。
【００２９】
子供はまだ十分に発達していないため、子供の鼻梁の高さが比較的低く、本実施例のスポンジ製ノーズパッドの谷と山の高さの差はわずか4 mmであり、実施例１の大人用メガネの曇り防止マスクと比較すると、子供の顔によりフィットするため、より良い曇り防止および防護効果を実現する。
【００３０】
＜実施例４＞
外面と内面を備えるマスク本体１を含む防護効果の高いメガネの曇り防止マスクであって、スポンジ製ノーズパッド２をさらに含み、前記スポンジ製ノーズパッド２は、非通気性のスポンジ製ノーズパッド２であり、マスク本体１の内面上部に固定され；
スポンジ製ノーズパッド２のマスク本体１から離れた面は、鼻梁にフィットする凹凸状を呈し、スポンジ製ノーズパッド２のマスク本体から離れた面に１つの谷２１および２つの山２２が設けられ、前記谷２１はスポンジ製ノーズパッド２の中央に位置し、２つの前記山２２は谷２１の両側に対称的に配置され；
前記スポンジ製ノーズパッドの高さは１６ｍｍであり、前記スポンジ製ノーズパッド２の谷２１の厚さは１０ｍｍであり、前記スポンジ製ノーズパッド２の山２２の厚さは１５ｍｍであり、前記スポンジ製ノーズパッド２の両端の厚さは５ｍｍである。
【００３１】
本実施例内のスポンジ製ノーズパッドの全体的な厚さは、比較的厚いため、マスクを装着した後、スポンジ製ノーズパッド全体が必然的に圧縮され、スポンジ製ノーズパッドが圧縮された後内部構造がよりコンパクトになり、ウイルス対策効果を発揮でき、したがって曇り防止効果を有しながらより良い防護効果を実現することができる。
【産業上の利用可能性】
【００３２】
上記をまとめると、本考案で提供される有益な効果は、以下のとおりである。スポンジ製ノーズパッドの外形は、顔の鼻梁にぴったりとフィットできるため、人がマスクを装着した後マスク本体と人の鼻梁の間に隙間が生じることを抑制することができ；スポンジ製ノーズパッドは、圧縮することができ、マスクを装着した後スポンジ製ノーズパッドがマスク本体と人の顔の圧迫を受けることで変形し、様々な人の顔に適応して完全にフィットする効果を実現し；スポンジは比較的柔軟であるため、マスクの装着快適性を向上できる。スポンジ製ノーズパッドのマスク本体から離れた面に設けられたシリコーン層は、マスク装着時の快適性をさらに向上させることができ、同時にシリコーン層と人間の皮膚の間の直接的な摩擦が大きいため、マスク装着後も滑り落ちにくくなる。スポンジ製ノーズパッドの谷は、人間の顔の鼻梁にフィットし、２つの山が人間の顔部の鼻梁の両側の窪みにぴったりとはまり、マスク装着時の快適性を向上させる。谷および山の厚さが薄ければ薄いほど原料コストを削減することができ、厚さが厚いほど、装着後スポンジ製ノーズパッドが圧迫されて変形しやすくなり、スポンジ製ノーズパッドの通気性をさらに低下させ、マスクの防護性能を向上させ、同時に呼気が隙間から立ち上がるのを防ぐ。実験や検証を繰り返した後、スポンジ製ノーズパッドの谷の厚さを３ｍｍに設定すると、呼気が隙間から立ち上がるのを防ぐことができ、同時にコストを最大限に節約でき、山の厚さは人間の顔の鼻梁の高さで決まり、山の厚さを１０ｍｍとすることで、スポンジ製ノーズパッドをほとんどの大人の顔にフィットさせることができる。
【００３３】
上記は、本考案の実施例に過ぎず、これにより本考案の実用新案登録請求の範囲を限定するものではなく、本考案の明細書および添付図面の内容を利用して行われる均等範囲内の変形、または直接的あるいは間接的に関連技術分野に使用されるのは、同様に本考案の実用新案登録請求の範囲内に網羅される。
【符号の説明】
【００３４】
１ マスク本体
２ スポンジ製ノーズパッド
２１ 谷
２２ 山
３ シリコーン層
【図１】
0003226963.tif 000003
【図２】
0003226963.tif 000004
【図３】
0003226963.tif 000005